(57)【特許請求の範囲】
【請求項１】
シート状体を拡げた状態で支持するための装置であって、
シート状体の下端部を着脱可能に係止するための係止部が前端部に設けられた基台と、
前記基台の後端部に設けられた複数のロッド支持部にそれぞれの下端部が着脱可能に挿入されシート状体の上端部にそれぞれの上端部が着脱可能に係止される可撓性を有した複数のロッドと、
前記基台と前記ロッドの上端部との間にかけわたされ、前記ロッドの上端部がシート状体に係止したときの位置よりも撓みしろに相当する分だけ上方の位置となることを許容するひも状体と、を有し、
前記複数のロッド支持部には、それぞれ、
前記ロッドの下端部が挿入される管部材と、
前記管部材の下端部を回動可能に支持する軸部と、
前記管部材の上端部の前側に位置調整可能に当接して当該管部材の前側への回動を規制する調整ネジと、が設けられ、
それぞれの前記ロッド支持部に設けられた前記調整ネジによって、それぞれの前記管部材の前後方向の傾きの角度を独立して調整することが可能に構成されている、
ことを特徴とするシート状体の支持装置。
【請求項２】
シート状体の上端部と前記ロッドの上端部との係止部分に係止装置が設けられており、
前記係止装置は、
前記ロッドの上端部に嵌入するキャップ部材と、
前記キャップ部材に連結されてシート状体を係止するためのフック部材と、
前記キャップ部材に連結され、略台形をなした板状体であってシート状体の裏面部分に当接する支持面を有した支持部材と、
を有してなる請求項１記載のシート状体の支持装置。
【請求項３】
前記基台は、
互いに平行に配置される２つの基板と、
前記２つの基板に対して着脱可能に設けられて前記２つの基板を連結するための連結部材と、
を有してなる請求項１または請求項２記載のシート状体の支持装置。
【請求項４】
前記ロッドは、カーボンファイバーからなる複数のロッド部材が着脱可能に連結されて構成される、
請求項１ないし請求項３のいずれかに記載のシート状体の支持装置。
【請求項５】
前記支持部材には、前記ひも状体の一端部のループを引っ掛けるための穴およびそれに続く溝が設けられている、
請求項２記載のシート状体の支持装置。
【発明の詳細な説明】
【０００１】
【発明の属する技術分野】
本発明は、シート状体に描かれた写真、イラスト、又は文章、若しくはスクリーンなどを、拡げた状態で展示し又は掲示するための支持装置に関する。
【０００２】
【従来の技術】
従来より、内見会、展示会、店内のディスプレイ、セミナー、その他の各種イベントなどにおいて、シート状体に描かれた写真、イラスト、又は説明文、若しくはスクリーンなどが、展示又はプレゼンテーションのためにしばしば用いられる。
【０００３】
それらのシート状体は、従来においては、部屋の壁面に掛けられ、又は特別に設置した間仕切り又はパネルなどに掛けられて展示され又は掲示されていた。
【０００４】
【発明が解決しようとする課題】
しかし、部屋の壁面に掛けるためには、壁又は柱の適当な位置にフックが設けられていなければならないが、展示などのために設計された専用の部屋である場合を除いて、適当な位置にそのようなフックがないのが現状である。
【０００５】
また、間仕切り又はパネルなどを利用するには、それらの設置工事を行う必要があるので、部屋を展示のために使用できる期間が工事期間の分だけ少なくなる。また、工事の費用が余分に要るため、イベントのコストが高くなる。
【０００６】
さらに、イベントの当日において、その時々で展示物の位置を変更したい場合があるが、従来のように壁面や間仕切りなどの既設の機材を利用した場合には、展示物を移動することができず、現場の状況に応じて適切な対応をとることが容易ではなかった。
【０００７】
本発明は、上述の問題に鑑みてなされたもので、既設の機材を用いることなく、シート状体を支持して床面などの上に置いて展示することができ、容易に移動することの可能なシート状体の支持装置を提供することを目的とする。
【０００８】
請求項１の発明に係る装置は、シート状体を拡げた状態で支持するための装置であって、シート状体の下端部を着脱可能に係止するための係止部が前端部に設けられた基台と、前記基台の後端部に設けられた複数のロッド支持部にそれぞれの下端部が着脱可能に挿入されシート状体の上端部にそれぞれの上端部が着脱可能に係止される可撓性を有した複数のロッドと、前記基台と前記ロッドの上端部との間にかけわたされ、前記ロッドの上端部がシート状体に係止したときの位置よりも撓みしろに相当する分だけ上方の位置となることを許容するひも状体と、を有し、前記複数のロッド支持部には、それぞれ、前記ロッドの下端部が挿入される管部材と、前記管部材の下端部を回動可能に支持する軸部と、前記管部材の上端部の前側に位置調整可能に当接して当該管部材の前側への回動を規制する調整ネジと、が設けられ、それぞれの前記ロッド支持部に設けられた前記調整ネジによって、それぞれの前記管部材の前後方向の傾きの角度を独立して調整することが可能に構成されている。
【００１０】
請求項２の発明に係る装置では、シート状体の上端部と前記ロッドの上端部との係止部分に係止装置が設けられており、前記係止装置は、前記ロッドの上端部に嵌入するキャップ部材と、前記キャップ部材に連結されてシート状体を係止するためのフック部材と、前記キャップ部材に連結され、略台形をなした板状体であってシート状体の裏面部分に当接する支持面を有した支持部材と、を有してなる。
【００１１】
請求項３の発明に係る装置では、前記基台は、互いに平行に配置される２つの基板と、前記２つの基板に対して着脱可能に設けられて前記２つの基板を連結するための連結部材と、を有してなる。
【００１２】
請求項４の発明に係る装置では、前記ロッドは、カーボンファイバーからなる複数のロッド部材が着脱可能に連結されて構成される。
【００１３】
【発明の実施の形態】
図１は本発明に係る支持装置１の透視図、図２は基台１１を前後方向に延びる中心線に沿って断面して示す断面図、図３は基台１１の一部を示す平面図、図４は基台１１に設けられたロッド支持部１５ａの平面図、図５は図４に示すロッド支持部１５ａの一部を断面して示す正面図、図６はロッド１２ａの先端部に取り付けられた係止装置１４ａを示す図、図７はロッド１２ａの連結状態を示す図である。
【００１４】
図１に示されるように、支持装置１は、その前面において、シート状体ＳＣを拡げた状態で支持するものである。なお、本明細書においては、シート状体ＳＣが装着された側を「前」とし、その反対側を「後」とする。
【００１５】
シート状体ＳＣは、布、紙、合成樹脂、又は合成ゴムなどからなり、拡げると矩形状であるシート状のものである。シート状体ＳＣの表面には、写真、イラスト、又は文章などが描かれている。また何も描かれていないスクリーンであってもよい。
【００１６】
シート状体ＳＣの上端部および下端部には、透明な合成樹脂などからなり、シート状体ＳＣの幅と同じ寸法で断面が略Ｌ字状のエンド部材ＳＣＥ１，ＳＣＥ２が一体的に設けられている（図６参照）。エンド部材ＳＣＥ１，ＳＣＥ２には、それぞれ直角に折れ曲がった部分の左右対称位置に、係止のための穴が設けられている。
【００１７】
支持装置１は、基台１１、ロッド１２ａ，１２ｂ、ワイヤ１３ａ，１３ｂ、および係止装置１４ａ，１４ｂなどからなる。図から分かるように、支持装置１は、前方から見て左右対称である。また、基台１１上にそれぞれ左右に配置されて組み立てられたこれらの部材は、それぞれ互いに同一の構造である。基台１１についても、左右対称の構造である。したがって、構造が同一である部材および対称である部分については、それぞれの一方のみについて説明する。
【００１８】
基台１１は、互いに平行に配置された２つの基板２１ａ，２１ｂ、および基板２１ａ，２１ｂに対して着脱可能に設けられてそれらを連結するための連結部材２２ａ，２２ｂによって、略方形枠状に組み立てられている。
【００１９】
図２および図３によく示されるように、基板２１ａは、適当な厚さの帯状の鋼材からなる。先端部に、切欠き部２６ａが設けられ、切欠き部２６ａの上面に、金属製の係止ピン２７ａが圧入されている。つまり、係止ピン２７ａは、切欠き部２６ａの上面から下方に向かって所定の長さだけ突出する。係止ピン２７ａは、本発明における係止部に相当する。係止ピン２７ａは、シート状体ＳＣの下端部に取り付けられたエンド部材ＳＣＥ２の穴に挿入される。このとき、エンド部材ＳＣＥ２は、その本体部分が基板２１ａの先端部に当接し、その直角に折れ曲がった部分が切欠き部２６ａの上面に当接する。
【００２０】
基板２１ａには、ロッド支持部１５ａが取り付けられ、同じ面にワイヤ係止駒２５ａがネジによって取り付けられている。
図４および図５によく示されるように、ロッド支持部１５ａは、基板２１ａに溶接で取り付けられたハウジング板５１、ロッド１２ａの下端部が挿入される管部材５２、管部材５２の下端部を回動可能に支持する軸部５３、および、管部材５２の上端部の前側に位置調整可能に当接して当該管部材の前側への回動を規制する調整ネジ５４が設けられている。これらの材料として、鋼材又は合成樹脂などが用いられる。
【００２１】
ロッド１２ａを取り付けた状態では、ロッド１２ａの撓みの反作用によって管部材５２が前側へ回動しようとするので、調整ネジ５４を回転させることにより、その先端部によって管部材５２の前側への回動を規制し、その位置決めを行うことができる。調整ネジ５４は、本発明における角度調整装置に相当する。
【００２２】
調整ネジ５４による位置調整は、２つのロッド支持部１５ａ，１５ｂにおいて独立して行うことができる。これによって、シート状体ＳＣの４隅の引っ張り具合をそれぞれ調整することができる。したがって、シート状体ＳＣの張り状態に応じて、調整ネジ５４を調整し、シート状体ＳＣが捩れたり撓んだりすることなく、綺麗にぴんと張るように簡単に調整することができる。この点は、支持装置１を設置する床面が常に平坦ではないこと、シート状体ＳＣの形状寸法が必ずしも正確でないことなど、設置に当たっての実際の状況を考慮すると、極めて重要な点である。
【００２３】
つまり、床面が歪んでいたり、凹凸があったりするために、基台１１がそれに応じて歪んだ場合であっても、また各部の寸法が正確でない場合であっても、調整ネジ５４を調整することによって、シート状体ＳＣを綺麗に張るよう簡単に調整することができる。
【００２４】
ワイヤ係止駒２５ａには、ワイヤ１３ａの下端部が引っかけられる。ワイヤ１３ａは、その両端部がループになっており、その一方のループをワイヤ係止駒２５ａに掛けるのである。
【００２５】
連結部材２２ａ，２２ｂは、互いに同じ長さのパイプ材からなり、同じ構造である。連結部材２２ａ，２２ｂの両端部にはそれぞれナットが取り付けられており、そのナットにネジ付きノブ２３ａ，２４ａをネジ込んで締めつけることによって基板２１ａと一体的に連結される。
【００２６】
ロッド１２ａは、丸棒状のカーボンファイバーからなり、適当な弾性を有した可撓性の複数本のロッド部材１２１が、互いに着脱可能に連結されて構成される。
【００２７】
すなわち、図７に示すように、ロッド部材１２１の一端部には、金属製の連結管１２２が、その半分程度嵌入して一体化されている。連結管１２２の開放端部から、他のロッド部材１２１を挿入することにより、互いに連結されてロッド１２ａが構成される。本実施形態においては、１本のロッド部材１２１の長さは約６０ｃｍであり、したがって３本を連結すると約１８０ｃｍ、４本を連結すると約２４０ｃｍとなる。
【００２８】
ロッド１２ａは、上にも述べたように、その下端部がロッド支持部１５ａの管部材５２に挿入される。ロッド１２ａの上端部には、後述する係止装置１４ａが着脱可能に取り付けられている。
【００２９】
図６に示されるように、係止装置１４ａは、キャップ部材６１、フック部材６２、および支持部材６３からなる。これらの材料として、鋼材又は合成樹脂などが用いられる。
【００３０】
キャップ部材６１は管材からなり、ロッド１２ａの上端部が挿入される。挿入されたロッド１２ａは、その先端がフック部材６２に当接して停止する。フック部材６２は、略Ｌ字形に曲がった細い棒状のものであり、キャップ部材の上端付近を直径方向に貫通するように取り付けられている。フック部材６２は、シート状体ＳＣの上端部に取り付けられたエンド部材ＳＣＥ１の穴に挿入される。
【００３１】
支持部材６３は、略台形をなした板状体であり、キャップ部材６１の外周面に軸方向に沿って溶着されている。支持部材６３の外側の端辺は、キャップ部材６１の軸に対して角度を有した支持面６３ａを形成する。支持面６３ａには、エンド部材ＳＣＥ１の本体部分が当接する。これによって、エンド部材ＳＣＥ１が前倒れとならないように支持し、シート状体ＳＣを略鉛直姿勢となるように支持する。
【００３２】
支持部材６３には、ワイヤ１３ａを引っ掛けるための穴６４および溝６５が設けられている。つまり、ワイヤ１３ａの一端部のループを、溝６５を通して穴６４内に挿通させることにより、ワイヤ１３ａがワイヤ１３ａの上端部に掛けられる。
【００３３】
上で既に述べたように、ワイヤ１３ａは、係止装置１４ａの支持部材６３と、基台１１のワイヤ係止駒２５ａとの間に掛けわたされる。ワイヤ１３ａの長さは、シート状体ＳＣが取り付けられた状態における穴６４とワイヤ係止駒２５ａとの間の距離よりも、数ｃｍ程度長く設定されている。この余分の長さが撓みしろに相当する。
【００３４】
つまり、ワイヤ１３ａは、本発明のひも状体に相当し、ロッド１２ａの上端部がシート状体に係止したときの位置よりも撓みしろに相当する分だけ上方の位置となることを許容する。
【００３５】
すなわち、係止装置１４ａとワイヤ係止駒２５ａとの間にワイヤ１３ａが掛けられており、シート状体ＳＣが未だ装着されていない状態では、ロッド１２ａはワイヤ１３ａに引っ張られて曲がり、ワイヤ１３ａはピンと張った状態である。この状態で、シート状体ＳＣのエンド部材ＳＣＥ１，２の穴を、それぞれ係止ピン２７ａおよびフック部材６２に嵌め込み、シート状体ＳＣを装着する。そのとき、係止ピン２７ａおよびフック部材６２は、エンド部材ＳＣＥ１，２の近辺にあるので、ロッド１２ａをあと少し撓ませるだけで装着することができ、装着が極めて容易である。
【００３６】
また、これとは逆に、支持装置１からシート状体ＳＣを取り外すと場合も、シート状体ＳＣを外した後のロッド１２ａ，１２ｂの状態が安定するので、その作業が容易である。
【００３７】
このように、上の支持装置１によると、既設の機材を用いることなく、シート状体ＳＣを支持して床面などの上に置いて展示することができる。しかも、容易に移動することが可能である。
【００３８】
また、シート状体ＳＣを取り付ける際に、その長さ（高さ）に応じた長さのワイヤ１３ａで予めロッド１２ａを引っ張っておくので、シート状体ＳＣの装着が極めて容易である。
【００３９】
また、ロッド支持部１５ａ，１５ｂにおいてロッド１２ａ，１２ｂの角度を独立して調整できるので、ロッド１２ａ，１２ｂの長さを変えたときにも、またロッド１２ａ，１２ｂの撓み具合、シート状体ＳＣの状態、および床面の状態などに応じて、調整ネジ５４を調整し、シート状体ＳＣを鉛直状態に、又は少し上向き状態に、綺麗に、ぴんと張ることができる。
【００４０】
ロッド１２ａ，１２ｂの長さを変更することにより、種々のサイズのシート状体ＳＣを掲示することができる。その場合に、ロッド部材１２１の本数を増減することによって、長さを簡単に調整することができる。
【００４１】
ロッド１２ａ，１２ｂの上端部の左右方向の位置は、シート状体ＳＣのエンド部材ＳＣＥ１の穴のみによって規制されるので、シート状体ＳＣの幅寸法に応じてその穴の位置を拡げておくことにより、幅の広いシート状体ＳＣに対しても両肩部がだれることなく、しっかりと掲示することができる。
【００４２】
支持部材６３の支持面６３ａによって、エンド部材ＳＣＥ１が前倒れとならないように支持し、シート状体ＳＣが真っ直ぐになるように支持することができる。
【００４３】
さらに、上に述べた支持装置１は、分解することによって、適当なバッグに収納することができ、どこへでも容易に持ち運ぶことができる。また、どこででも工具を用いることなく組み立てることが可能である。
【００４４】
上の実施形態において、基台１１の下面に、ゴム足などを取り付けてもよい。また、キャスターを取り付けてもよい。支持装置１の各部又は全体の構造、形状、寸法、材料、又は個数などは、本発明の趣旨に沿って適宜変更することができる。
【００４５】
【発明の効果】
本発明によると、既設の機材を用いることなく、シート状体を支持して床面などの上に置いて展示することができ、しかも容易に移動することができる。
【図面の簡単な説明】
【図１】本発明に係る支持装置の透視図である。
【図２】基台を前後方向に延びる中心線に沿って断面して示す断面図である。
【図３】基台の一部を示す平面図である。
【図４】基台に設けられたロッド支持部の平面図である。
【図５】図４に示すロッド支持部の一部を断面して示す正面図である。
【図６】ロッドの先端部に取り付けられた係止装置を示す図である。
【図７】ロッドの連結状態を示す図である。
【符号の説明】
１  支持装置
１１  基台
１２ａ，１２ｂ  ロッド
１３ａ，１３ｂ  ワイヤ（ひも状体）
１４ａ，１４ｂ  係止装置
１５ａ  ロッド支持部
２１ａ，２１ｂ  基板
２２ａ，２２ｂ  連結部材
２７ａ  係止ピン（係止部）
５２  管部材
５３  軸部
５４  調整ネジ（調整部材、角度調整装置）
６１  キャップ部材
６２  フック部材
６３  支持部材
６３ａ  支持面
１２１  ロッド部材
ＳＣ  シート状体
ＳＣＥ１，ＳＣＥ２  エンド部材
【図１】
0004530448.tif 000002
【図２】
0004530448.tif 000003
【図３】
0004530448.tif 000004
【図４】
0004530448.tif 000005
【図５】
0004530448.tif 000006
【図６】
0004530448.tif 000007
【図７】
0004530448.tif 000008